(57)【要約】【課題】簡易構造、コスト安価で、コーナーの壁面に対して直角の方向に押圧力を掛けることで強大な取り付け保持力を付与するコーナー棚を提供する。【解決手段】コーナー壁面Ｗに棚板本体１を着脱自在に取付保持する固定機構７とを含み、固定機構７は、壁面Ｗに向けて進退自在であって、かつ壁面Ｗに対してそれぞれ直交する方向の押し付け力を付与する二つの取り付け部材２０と、二つの取り付け部材２０に、第二仮想線ＫＬ２に沿う進退作動を伝達する伝達部材８とで構成され、伝達部材８は、棚板本体１の二つの当接辺２に囲まれた角部を二等分する第一仮想線ＫＬ１に沿って正逆回転可能に配設された回転作動部９と、回転作動部９の正逆回転作動によって第一仮想線ＫＬ１上を進退移動し、第二仮想線ＫＬ２に沿って二つの取り付け部材２０をそれぞれ進退移動させる移動作用部１５とで構成されている。【選択図】図２
2011147635.tif 000002
【特許請求の範囲】
【請求項１】
延長線上で交差する二つの非平行な壁面間に形成される隅角部領域に取り付けられるコーナー棚であって、
延長線上で交差する非平行な二つの当接辺を少なくとも有する棚板本体と、
前記棚板本体の裏面に備えられ、前記壁面間の隅角部領域に棚板本体を着脱自在に取付保持する固定機構とを含み、
固定機構は、前記二つの壁面に向けてそれぞれ進退自在であって、かつ前記二つの壁面に対してそれぞれ直交する方向の押し付け力を付与する少なくとも二つの取り付け部材と、
前記少なくとも二つの取り付け部材に進退作動を伝達する伝達部材とで構成されており、
伝達部材は、
棚板本体の前記二つの当接辺に囲まれた角部を二等分する第一仮想線に沿って正逆回転可能に配設された回転作動部と、
前記回転作動部の正逆回転作動によって前記第一仮想線上を進退移動し、前記壁面に対して直交する第二仮想線に沿って前記少なくとも二つの取り付け部材をそれぞれ進退移動させる移動作用部とで構成され、
取り付け部材は、
前記壁面に対して直交する第二仮想線に沿って進退移動可能に配設され、かつ前記移動作用部と摺接する作用受け部と、
前記壁面に対して押し付け密着可能な面部を含み、前記当接辺寄りで前記第二仮想線に沿って進退移動可能に配設される押圧固定部と、
前記作用受け部と押圧固定部との間で、前記作用受け部と押圧固定部とを離間する方向へと付勢し、前記壁面に対して直交する方向から押し付け力を付与あるいは解除することが可能な弾性部材とで構成されていることを特徴とするコーナー棚。
【請求項２】
回転作動部は、外周の長さ方向所定範囲にわたって雄ねじ部を備えた棒状で第一仮想線に沿って正逆回転可能に配設され、かつ棚板本体の角部に対向する端部と反対側の他端部には回動操作部材と結合される被結合部を備えて構成されており、
移動作用部は、
少なくとも二つの取り付け部材のそれぞれの作用受け部と摺接し、かつ延長線上で交差する非平行な二つの摺接辺と、前記回転作動部の雄ねじ部と螺合する雌ねじ部とを備え、
前記それぞれの摺接辺は、隅角部を構成する非平行な二つの壁面とそれぞれ平行に形成されていることを特徴とする請求項１に記載のコーナー棚。
【請求項３】
棚板本体の非平行な二つの当接辺は、隅角部を構成する非平行な二つの壁面とそれぞれ平行に形成されており、
弾性部材は圧縮コイルバネであって、
作用受け部は、移動作用部の摺接辺と接する半球状の摺接曲面部と、
前記摺接曲面部の裏面から該摺接曲面部よりも小径に一体成形され、かつ前記圧縮コイルバネのコイル内径に挿入されるガイド芯材と、
前記摺接曲面部の裏面に形成され、前記圧縮コイルバネの端部を受けるバネ受け部とで構成されており、
押圧固定部は、前記棚板本体の当接辺と平行に形成された所定長さの押し付け板部と、
前記押し付け板部の裏面側から直交する方向に一体に配設され、所定長さで、かつ圧縮コイルバネを挿入可能な挿入口を開放した筒状のバネ受け筒部とを含み、
前記棚板本体の裏面には、前記バネ受け筒部を挿入可能な所定長さで、かつ両端を開放した筒状のガイド筒部が、前記二つの当接辺に向けてそれぞれ直交する方向に一体に配設されており、
前記ガイド筒部は、前記バネ受け筒部を筒内に摺動可能に収容可能であることを特徴とする請求項１又は２に記載のコーナー棚。
【請求項４】
壁面から離間する方向へと押圧固定部を引き寄せる引き寄せ部材を備え、前記引き寄せ部材による引き寄せ力は弾性部材による押圧力よりも弱く設定されていることを特徴とする請求項１乃至３のいずれかに記載のコーナー棚。
【発明の詳細な説明】
【技術分野】
【０００１】
本発明は、延長線上で交差する二つの非平行な壁面間に形成される室内等のコーナー部（隅角部）領域に備えられるコーナー用の棚、詳しくは着脱自在なコーナー棚の取付け保持構造に関する。尚、本明細書中において室内とは、住宅、オフィス等の室内に限らず、ガレージ、倉庫、工場等の内部空間をも含む、少なくとも壁面によって仕切られた空間を総称していうものとする。
【背景技術】
【０００２】
室内等のコーナー部（隅角部）領域に、ラックやキャビネットを設置して、コーナー空間を好みの置物等で飾ったりして有効利用することが考えられる。しかし、ラックやキャビネットのような設置タイプのものでは空間を楽しむことができない場合がある。すなわち、室内におけるコーナーの高さ方向の任意空間位置に置物等を飾りたい場合には設置タイプであるラックやキャビネットでは不可能である。
【０００３】
そこで、このような場合にはコーナーの任意高さ位置に棚板を取付けることが考えられ、従来から種々のタイプのコーナー棚が提案されている。
【０００４】
例えば本発明者も先に特許文献１に開示のコーナー棚を提案している。
この特許文献１に開示のコーナー棚は次のように構成されている。
延長線上において交差する非平行な左右の当接辺を有する棚板と、該棚板の裏面に備えられ、かつ棚板の非平行な左右の当接辺に挟まれた角部位を等分する線と直交するように配される操作部と、該操作部の両端において夫々揺動可能に備えられる固定部とで構成されており、上記操作部は、棚板の非平行な左右の当接辺に挟まれた角部位を等分する線と直交するように同軸状に配される左右の回転シャフトと、該左右の回転シャフトの相対向する夫々の端部に備えられるベベルギヤと、該夫々のベベルギヤに噛合して回転作動を伝達するベベルギヤを備えた単一の操作ハンドルと、上記夫々の回転シャフトの遊端側に配されて、固定部を上記棚板における非平行な夫々の当接辺縁より同軸状に出没せしめる前後進部材とで構成され、上記固定部は、固定部角度修正部を介して上記前後進部材に左右揺動可能に連結される固定部本体と、該本体の端面に備えられる一個あるいは二個以上の固定用突起とからなることを特徴とする。
【０００５】
この特許文献１に開示のコーナー棚は次の目的を達成するために提案されているものである。
（１）単一の操作ハンドルの回転操作のみで位置決め及び取付けが容易かつ確実になし得ると共に、コーナー部位における強固な保持が可能であること。すなわち、この特許文献１に係る特許出願以前のコーナー棚が、取り付けが面倒かつ不安定であること、その構造上から軽量な物しか載せられないことから、これらを解決するために提案されているものである。
（２）また、取付け対象壁面コーナーにわずかな誤差が生じていたとしても、固定部の角度修正によりその誤差に応じて確実かつ強固に取付け設置でき、安定かつ強固な取付けを可能としたこと。すなわち、この特許文献１に係る特許出願以前のコーナー棚が、上述の課題を達成し得ていなかったことから、これらを解決するために提案されているものである。
【０００６】
従って、本発明者が先に提案した特許文献１に開示のコーナー棚は、上記目的を達成するためには大変有用な構成ではあるが、多少の改良の余地を残していたものである。
【０００７】
すなわち、ベベルギヤを含む操作部の構造上、どうしてもコスト高とならざるを得なかったという点である。
また、取り付け対象となる壁面コーナーにわずかな誤差が生じていても確実かつ強固に取り付け設置出来てはいたものの、壁面に対する固定部の押圧力は、壁面に対して鋭角に掛かる構造であったため、固定部の押圧力が、コーナー部位領域から離れる方向に逃げようとする力が働いてしまうものであった。
例えば、突起部などの壁面に突き刺さる構造を固定部の壁面対向面に備え、固定部に係る押圧力とともにこの突起部を壁面に突き刺すことのできる場所（壁材）に取り付ける場合は強固な取り付け力を得ることができていた。しかし、例えばタイルなどの壁材を用いている浴室のコーナー部位に取り付ける場合にあっては、突起部を固定部に備えることはできず、固定部の押圧力のみで取り付け保持することしかできなかった。特許文献１の場合、この固定部の押圧力のみでもかなり強固に取り付け保持は出来てはいたものの、本発明者が求める重量、例えば６０ｋｇ程度の重量のある物を載せる場合には多少の不安が残っていたものであった。
【０００８】
さらに、特許文献１の出願後にも種々のコーナー棚構造が提案されているが、どれも上述の課題を達成し得るほどのものではなかった。
例えば特許文献２および３は、特許文献１の操作部を簡易な構造にしてコスト安価を達成しようとしているものであるが、取り付け対象となる壁面に対して、進退自在に備えた針（突起部）を刺し込む（突き刺す）構造であるため、例えばタイルなどの壁材を用いている浴室のコーナー部位に取り付けることは到底なし得ないものである。
さらに、特許文献２および３に開示の構造では、取り付け対象となる壁面に対して鋭角に押圧力が掛かるものであるため上述の不安を解消し得るものとは到底言い得ない。
また、特許文献２および３に開示されている針を押し出す操作部分の構造からすると、耐久性にも問題を有しているものであり使用頻度によっては早期に使用し得なくなる虞があると考えられる。
【０００９】
また、特許文献４に開示の構造も提案されている。
この特許文献４のコーナー棚は、交差角度が変更できるように端部同士が互いに回動自在に連結された左右一対の棚枠と、部屋のコーナー部を形成する両壁面に前記各棚枠を押し付けるべく当該両棚枠間に配置された押圧手段と、縁部が前記両棚枠によって支持される棚板と、を備えているコーナー用棚装置において、前記押圧手段は、前記各棚枠の内面に両端部がそれぞれ当接した状態で当該両棚枠の交差部分に対して接離自在となるように設けられた突っ張り部材と、この突っ張り部材を前記交差部分に向かって強制的に接近させる締め付け部材とから構成されていることを特徴とするものである。
すなわち、特許文献４に開示の構造は、締め付け部材によって、所定の横長状の突っ張り部材を棚板の角部方向へと順次締め付けていくことで、棚板の角部位置を構成する交差部位で回動自在に連結された左右の棚枠を、前記突っ張り部材が取り付け対象となる左右の壁面方向へと押し広げ、その押し広げ力によって左右の棚枠を取り付け対象となる左右の壁面に押し付けて取り付け設置するものである。
しかし、このような構造であっても、取り付け対象となる左右の壁面への左右の棚枠の押し付け力（押圧力）は、壁面に対してそれぞれ鋭角の方向に掛かる構造であるため、特許文献２および３と同様に上述の不安を解消し得るものとは到底言い得ない。
【００１０】
そこで本発明者は鋭意研究を重ね、取り付け対象となる左右の壁面に対してそれぞれ直角の方向（直交する方向）に押圧力を掛けることで強大な取り付け力を付与することのできる構造とするとともに、その構造を簡易な構造とすることでコスト安価な新規有用なコーナー棚の開発に成功した。
【先行技術文献】
【特許文献】
【００１１】
【特許文献１】特許第２８５５４２８号公報
【特許文献２】特開２００４−８３７５号公報
【特許文献３】特開２００４−２２９８７７号公報
【特許文献４】特開２００２−５８５５８号公報
【発明の概要】
【発明が解決しようとする課題】
【００１２】
本発明は、従来技術の有するこのような問題点に鑑みなされたものであり、その目的とするところは、簡易な構造でありながら、取り付け対象となるコーナー部位領域の左右の壁面に対してそれぞれ直角の方向（直交する方向）に押圧力を掛けることで強大な取り付け保持力を付与し、かつコスト安価なコーナー棚を提供することである。
【課題を解決するための手段】
【００１３】
このような目的を達成するために、第１の発明は、  延長線上で交差する二つの非平行な壁面間に形成される隅角部領域に取り付けられるコーナー棚であって、
延長線上で交差する非平行な二つの当接辺を少なくとも有する棚板本体と、
前記棚板本体の裏面に備えられ、前記壁面間の隅角部領域に棚板本体を着脱自在に取付保持する固定機構とを含み、
固定機構は、前記二つの壁面に向けてそれぞれ進退自在であって、かつ前記二つの壁面に対してそれぞれ直交する方向の押し付け力を付与する少なくとも二つの取り付け部材と、
前記少なくとも二つの取り付け部材に進退作動を伝達する伝達部材とで構成されており、
伝達部材は、
棚板本体の前記二つの当接辺に囲まれた角部を二等分する第一仮想線に沿って正逆回転可能に配設された回転作動部と、
前記回転作動部の正逆回転作動によって前記第一仮想線上を進退移動し、前記壁面に対して直交する第二仮想線に沿って前記少なくとも二つの取り付け部材をそれぞれ進退移動させる移動作用部とで構成され、
取り付け部材は、
前記壁面に対して直交する第二仮想線に沿って進退移動可能に配設され、かつ前記移動作用部と摺接する作用受け部と、
前記壁面に対して押し付け密着可能な面部を含み、前記当接辺寄りで前記第二仮想線に沿って進退移動可能に配設される押圧固定部と、
前記作用受け部と押圧固定部との間で、前記作用受け部と押圧固定部とを離間する方向へと付勢し、前記壁面に対して直交する方向から押し付け力を付与あるいは解除することが可能な弾性部材とで構成されていることを特徴とするコーナー棚としたことである。
【００１４】
第２の発明は、第１の発明において、回転作動部は、外周の長さ方向所定範囲にわたって雄ねじ部を備えた棒状で第一仮想線に沿って正逆回転可能に配設され、かつ棚板本体の角部に対向する端部と反対側の他端部には回動操作部材と結合される被結合部を備えて構成されており、
移動作用部は、
少なくとも二つの取り付け部材のそれぞれの作用受け部と摺接し、かつ延長線上で交差する非平行な二つの摺接辺と、前記回転作動部の雄ねじ部と螺合する雌ねじ部とを備え、
前記それぞれの摺接辺は、隅角部を構成する非平行な二つの壁面とそれぞれ平行に形成されていることを特徴とするコーナー棚としたことである。
【００１５】
第３の発明は、第１の発明又は第２の発明において、棚板本体の非平行な二つの当接辺は、隅角部を構成する非平行な二つの壁面とそれぞれ平行に形成されており、
弾性部材は圧縮コイルバネであって、
作用受け部は、移動作用部の摺接辺と接する半球状の摺接曲面部と、
前記摺接曲面部の裏面から該摺接曲面部よりも小径に一体成形され、かつ前記圧縮コイルバネのコイル内径に挿入されるガイド芯材と、
前記摺接曲面部の裏面に形成され、前記圧縮コイルバネの端部を受けるバネ受け部とで構成されており、
押圧固定部は、前記棚板本体の当接辺と平行に形成された所定長さの押し付け板部と、
前記押し付け板部の裏面側から直交する方向に一体に配設され、所定長さで、かつ圧縮コイルバネを挿入可能な挿入口を開放した筒状のバネ受け筒部とを含み、
前記棚板本体の裏面には、前記バネ受け筒部を挿入可能な所定長さで、かつ両端を開放した筒状のガイド筒部が、前記二つの当接辺に向けてそれぞれ直交する方向に一体に配設されており、
前記ガイド筒部は、前記バネ受け筒部を筒内に摺動可能に収容可能であることを特徴とするコーナー棚としたことである。
【００１６】
第４の発明は、第１の発明乃至第３の発明のいずれかにおいて、壁面から離間する方向へと押圧固定部を引き寄せる引き寄せ部材を備え、前記引き寄せ部材による引き寄せ力は弾性部材による押圧力よりも弱く設定されていることを特徴とするコーナー棚としたことである。
【発明の効果】
【００１７】
本発明によれば、簡易な構造でありながら、取り付け対象となるコーナー部位領域の左右の壁面に対してそれぞれ直角の方向（直交する方向）に押圧力を掛けることで強大な取り付け保持力を付与し、かつコスト安価なコーナー棚を提供することができた。
【図面の簡単な説明】
【００１８】
【図１】本発明のコーナー棚の一実施例で、壁面への取り付け前状態を一部断面するとともに裏面側から見た状態で示す概略平面図である。
【図２】本発明のコーナー棚の一実施例で、壁面への取り付け保持状態を一部断面するとともに裏面側から見た状態で示す概略正面図である。
【図３】本発明のコーナー棚の一実施例を裏面側から見た状態で示す概略斜視図である。
【図４】本発明のコーナー棚の固定機構を構成する取り付け部材を、拡大するとともに一部断面して示す概略平面図である。
【図５】本発明のコーナー棚の固定機構を構成する伝達部材を、拡大するとともに一部断面して示す概略平面図である。
【符号の説明】
【００１９】
１  棚板本体
２  当接辺
７  固定機構
８  伝達部材
９  回転作動部
１５  移動作用部
２０  取り付け部材
２１  作用受け部
２５  押圧固定部
３０  弾性部材
Ｃ  隅角部（コーナー部位）
ＫＬ１  第一仮想線
ＫＬ２  第二仮想線
Ｒ１，Ｒ２  回転方向
Ｗ  壁面
Ｘ１，Ｘ２  進退方向（移動作用部）
Ｙ１，Ｙ２  進退方向（取り付け部材）
【発明を実施するための形態】
【００２０】
以下、本発明のコーナー棚に関する一実施形態について説明する。なお、本実施形態は本発明の一例にすぎずなんらこれに限定解釈されるものではなく、本発明の範囲内で設計変更可能である。
【実施例１】
【００２１】
室内等のコーナー部位（隅角部領域）Ｃは、延長線上で交差する非平行な左右の壁面（躯体壁面）Ｗ，Ｗによって構成されている。本実施例では、コーナー部位Ｃが９０度の角度をもって構成されている実施の一形態をもって以下説明する。図中符号１は棚板本体、符号７は固定機構を示す。
【００２２】
棚板本体１は、前記左右の壁面（躯体壁面）Ｗ，Ｗと平行で、かつ左右の壁面（躯体壁面）Ｗ，Ｗに当接する非平行状の二辺の当接辺２，２と、その二辺の当接辺２，２の間にわたって一体に架け渡されている平坦状の載せ板３を含み、前記二辺の当接辺２，２によって挟まれる（囲まれる）仮想角部４を９０度とした平面視略扇形状の平板である。
すなわち、本実施例の棚板本体１は、図１に示すように、仮想角部４を切り欠いて平坦面４ａを形成してなる構造が採用されている。
【００２３】
前記棚板本体１の裏面の同一箇所には、後述する二つのバネ受け筒部をそれぞれ挿入可能な二つの筒状のガイド筒部６，６が一つずつ一体に配設されている。
ガイド筒部６は、所定長さで、かつ両端を開放した内部中空の角筒形状に形成されており、前記棚板本体１の当接辺２に向けて直交する方向に配設されている。
前記ガイド筒部６は、後述するバネ受け筒部と略同一の筒長さをもって形成されており、バネ受け筒部を筒内に多少の遊びをもって移動可能に収容する。
【００２４】
なお、非平行状の二辺の当接辺２，２によって挟まれる（囲まれる）仮想角部４を本実施形態では９０度としているが、これに限定されず、室内等のコーナー部位Ｃの左右の壁面（躯体壁面）Ｗ，Ｗに挟まれる（囲まれる）コーナー部位Ｃの拡開角度に合わせて鋭角から鈍角まで任意に変更設計可能であり本発明の範囲内において適宜選択変更可能である。また、棚板本体１の材質も合成樹脂材、木材あるいは金属材など本発明の範囲内で任意に設計変更が可能で、その設置場所・設置環境に応じた材質を選択すればよい。
【００２５】
また、本実施例において棚板本体１は平面視略扇状の板を採用しているが、棚板本体１の形状は何等これに限定されるものでなく、室内等のコーナー部位Ｃに合致する形状、すなわち室内等のコーナー部位Ｃの左右の壁面（躯体壁面）Ｗ，Ｗに当接することができる、延長線上において交差する非平行状の二辺の当接辺２，２を少なくとも有する形状であれば平面視三角形状、台形状等任意である。また、本実施例では、図３の概略斜視図に図示するように、棚板本体１はその周縁に沿って載せ板３の表面側（物品載置側）に向けて鍔部５を立ち上げているが、この鍔部５を備えなくてもよく、その他種々の構成や装飾を施してもよいことは言うまでもない。
【００２６】
固定機構７は、前記棚板本体１の裏面に備えられ、前記左右の壁面（躯体壁面）Ｗ，Ｗ間のコーナー部位Ｃ領域に棚板本体１を着脱自在に取付保持する機構である。
【００２７】
固定機構７は、図１乃至図５に示すように、前記左右の壁面（躯体壁面）Ｗ，Ｗに向けてそれぞれ進退自在であって、かつ前記左右の壁面（躯体壁面）Ｗ，Ｗに対してそれぞれ直交する方向の押し付け力を付与する少なくとも二つの取り付け部材２０，２０、前記少なくとも二つの取り付け部材２０，２０に進退作動を伝達する伝達部材８とで構成されている。
【００２８】
伝達部材８は、図１乃至図３および図５に示すように、棚板本体１の前記二つの当接辺２，２に囲まれた仮想角部４を二等分（４５度ずつに分割）する第一仮想線ＫＬ１に沿って正逆回転（矢印Ｒ１は正方向の回転方向、Ｒ２は逆方向の回転方向を示す）可能に配設された回転作動部９と、前記回転作動部９の正逆回転（Ｒ１方向、Ｒ２方向）作動によって前記第一仮想線ＫＬ１上を進退移動（矢印Ｘ１は前進方向、Ｘ２は後退方向を示す）し、前記壁面Ｗ，Ｗに対して直交する第二仮想線ＫＬ２，ＫＬ２（壁面Ｗと第二仮想線ＫＬ２との交差角度が９０度）に沿って前記少なくとも二つの取り付け部材をそれぞれ進退移動（矢印Ｙ１は前進方向、Ｙ２は後退方向を示す）させる移動作用部１５とで構成されている。
【００２９】
回転作動部９は、本実施例では、所定長さの丸棒状に形成されるとともに、その外周の長さ方向所定範囲にわたって雄ねじ部１０を備えて構成されている。
また、先端（仮想角部４に対向する端部）側には、雄ねじ部１０よりも小径な丸棒状の保持軸部１１を一体に備え、後端（仮想角部４に対向する端部と反対側の他端部）側には、角柱状の被結合部１２を一体に備えて構成されている。
図中、ＫＧは前記被結合部１２に結合して回転作動部９に正逆回転（Ｒ１方向、Ｒ２方向）作動を付与する回動操作部材の一例を示す。なお、回動操作部材ＫＧと被結合部１２は、回転作動部を正逆回転作動せしめることのできる構造であればよく、図示した構造に限定解釈されるものではない。
また、回転作動部９の後端側（本実施例の被結合部１２側）に予め回動操作部材（この場合、回動操作部ともいう。）を一体に備えている構成を採用することも可能で本発明の範囲内である。
【００３０】
本実施例で回転作動部９は、前記第一仮想線ＫＬ１に沿って棚板本体１の裏面の所定位置に所定間隔をあけて一体に配設した前後の保持部１３，１４によって、前記第一仮想線ＫＬ１に沿って正逆回転（Ｒ１方向、Ｒ２方向）可能に配設されている。
【００３１】
前方の保持部（仮想角部４に対向する保持部）１３は、所定厚みを有する略矩形の板状に形成されるとともに、その略中央に前記保持軸部１１が遊びをもって挿入可能なガイド穴１３ａが前面１３ｂと後面１３ｃにわたって貫通して形成されている。
後方の保持部１４は、所定厚みを有する略矩形の板状に形成されるとともに、その略中央に前記回転作動部９の雄ねじ部１０の後端側が遊びをもって挿入可能なガイド穴１４ａが前面１４ｂと後面１４ｃにわたって貫通して形成されている。
前記前方の保持部１３のガイド穴１３ａと後方の保持部１４のガイド穴１４ａは、第一仮想線ＫＬ１上で同一軸線上に配設されている。
したがって、前記前方の保持部１３のガイド穴１３ａに保持軸部１１を挿入保持させるとともに、後方の保持部１４のガイド穴１４ａに雄ねじ部１０の後端側を挿入保持させることで、回転作動部９が棚板本体１の裏面側にて正逆回転（Ｒ１方向、Ｒ２方向）可能に保持される。
【００３２】
移動作用部１５は、少なくとも二つの取り付け部材のそれぞれの作用受け部と摺接し、かつ延長線上で交差する非平行な二つの摺接辺１６，１６と、前記二つの摺接辺１６，１６の先端（仮想角部４と対向する端部）間にわたって一体に架け渡される前板部１７と、前記二つの摺接辺１６，１６の長さ方向の中間位置で、それぞれの対向面１６ａ，１６ａにわたって架け渡される中板部１８とを含み、全体で平面視略Ａ字形状に構成されている。
【００３３】
前記二つの摺接辺１６，１６は、所定厚み・所定高さ・所定長さを有する長尺矩形板状に形成されている。そして、本実施例において前記それぞれの摺接辺１６，１６は、棚板本体１の二辺の当接辺２，２およびコーナー部位Ｃの左右の壁面（躯体壁面）Ｗ，Ｗとそれぞれ平行に形成されている。
摺接辺１６は、後述する取り付け部材２０の作用受け部が摺接可能な高さを有するとともに、取り付け部材２０を進退移動（Ｙ１方向、Ｙ２方向）せしめるに必要な長さを有して形成されている。また、取り付け部材２０の押圧作動において耐え得るだけの厚みは有している必要がある。上述した所定厚み・所定高さおよび所定長さをもって形成されているものであれば、摺接辺１６の形状などは任意に設計変更可能である。
【００３４】
前記前板部１７は、所定厚み・所定高さおよび所定長さを有する略矩形の板状に形成されるとともに、その略中央に前記回転作動部９の雄ねじ部１０が遊びをもって挿入可能なガイド穴１７ａが前面１７ｂと後面１７ｃにわたって貫通して形成されている。
前記中板部１８は、前記前板部１７と前後方向で所定の間隔をあけて配設された所定厚み・所定高さおよび所定長さを有する略矩形の板状に形成されるとともに、その略中央に前記回転作動部９の雄ねじ部１０が螺合して挿入される雌ねじ部１８ａが前面１８ｂと後面１８ｃにわたって貫通して形成されている。
本実施例では、中板部１８に直接雌ねじ部１８ａを貫通して形成した構成の一実施形態であるが、この雌ねじ部を、前記雄ねじ部１０が螺合可能な所定穴径を有するナットで構成するものであってもよい。
【００３５】
従って、前記回転作動部９を、後方の保持部１４のガイド穴１４ａに挿通し、次に回転作動部９の雄ねじ部１０に前記中板部１８の雌ネジ部１８ａを螺合するとともに、先端側（保持軸部１１側）を前板部１７のガイド穴１７ａに挿通する。そして、次に、前記回転作動部９の先端側（保持軸部１１側）を前方の保持部１３のガイド穴１３ａに挿通して抜け止めピン１９などで抜け止め保持する。これにより、回転作動部９と移動作用部１５が一体となって棚板本体１の裏面にて、回転作動部９が正逆方向（Ｒ１方向、Ｒ２方向）に回転自在に配設され、かつその回転作動によって移動作用部が第一仮想線ＫＬ１に沿って進退作動（Ｘ１方向，Ｘ２方向）可能に構成される。
なお、図示例では抜け止めピン１９をもって説明したが限定されるものではなく、例えばこの先端側（保持軸部１１側）に雄ねじ部を形成していれば、前方の保持部１３のガイド穴１３ａから突出したその雄ねじ部にナットを螺合して抜け止めを図ることも可能であり、その他種々の周知抜け止め構成に適宜設計変更可能である。
【００３６】
取り付け部材２０は、図１乃至図３および図４に示すように本実施例では棚板本体１の裏面の所定位置に一つずつの合計二つ配設されている。
取り付け部材２０，２０は、前記左右の壁面（躯体壁面）Ｗ，Ｗおよび二辺の当接辺２，２に対してそれぞれ直交する方向の第二仮想線ＫＬ２，ＫＬ２に沿って棚板本体１の裏面を摺接して進退移動（Ｙ１方向，Ｙ２方向）可能に配設されており、前記移動作用部１５の摺接辺１６，１６と摺接し、移動作用部１５の第一仮想線ＫＬ１に沿う進退作動（Ｘ１方向，Ｘ２方向）によって第二仮想線ＫＬ２，ＫＬ２に沿って進退作動（Ｙ１方向，Ｙ２方向）する作用受け部２１と、前記作用受け部２１の進退作動を受けることで前記第二仮想線ＫＬ２，ＫＬ２に沿って進退移動（Ｙ１方向，Ｙ２方向）し、前記左右の壁面（躯体壁面）Ｗ，Ｗに対して直角の方向から押し付け力を付与あるいは解除することが可能な押圧固定部２５と、前記作用受け部２１と押圧固定部２５との間で、前記作用受け部２１と押圧固定部２５とを離間する方向へと付勢する弾性部材３０とで構成されている。
【００３７】
本実施例で弾性部材３０は、圧縮コイルバネが採用されており、圧縮コイルバネ（弾性部材）３０は、後述する押圧固定部２５の押し付け板部２６が壁面（躯体壁面）Ｗを押圧していない状態（棚板の非取り付け状態）で、押し付け板部２６の裏面と作用受け部２１のバネ受け部２４との間に付勢されずに配される自由高さを有している（図１参照。）。
この圧縮コイルバネ３０の線径、ピッチ、コイル直径（内径および外径）、巻数、あるいは自由高さや密着高さなどは仕様に応じて適宜設計変更されるものである。
【００３８】
作用受け部２１は、移動作用部１５の摺接辺１６と接する半球状の摺接曲面部２２と、前記摺接曲面部２２の裏面から該摺接曲面部２２よりも小径に一体成形され、かつ圧縮コイルバネ３０のコイル内径に挿入される丸棒状のガイド芯材２３と、前記摺接曲面部２２の裏面に形成され、前記圧縮コイルバネ３０の端部を受けるバネ受け部２４とで構成されている。
摺接曲面部２２は、前記摺接辺１６と接してスムーズに摺り動くことができるように、接触面側を半球状に形成している。また、ガイド芯材２３は、圧縮コイルバネ３０が最大に圧縮される（密着高さ状態となる）までその圧縮作動を阻害しない程度の棒長さを有するように設計されている。本実施例では、図１に示す非取り付け状態（圧縮コイルバネ３０の非圧縮状態）では、ガイド芯材２３の他端部（摺接曲面部２２と反対側の端部）が、後述する押圧固定部２５のバネ受け筒部２７内に僅かに入り込んでいる状態で、図２に示す取り付け状態（圧縮コイルバネ３０の圧縮状態）では、ガイド芯材２３の他端部側が、図１に示す状態よりもさらに前記バネ受け筒部２７内に入り込んではいるが押し付け板部２６の裏面には接しない程度の長さとしている。
【００３９】
押圧固定部２５は、前記棚板本体１の当接辺２と平行に形成された所定長さの押し付け板部２６と、前記押し付け板部２６の裏面側から直交する方向に一体に配設され、所定長さで、かつ圧縮コイルバネ３０を挿入可能な挿入口２７ａを開放した角筒状のバネ受け筒部２７とで平面視略Ｔ字形状に構成されている。
【００４０】
押し付け板部２６は、所定肉厚・所定高さおよび所定長さをもって矩形長尺板状に形成されている。押し付け板部２６は、圧縮コイルバネ３０による押圧力に耐え得る（変形や損傷しない）肉厚や材質を設定するのが好ましい。
本実施例では、押し付け板部２６の壁面対向面（面部）２６ａに着脱自在に固定突起２８を備えている（図３参照。）。
例えば、固定突起２８は、円筒状の台座部２８ａと、その台座部２８ａの一面側から突出して一体に備えた突起部２８ｂとで構成されており、押し付け板部２６の壁面対向面２６ａ側には、押し付け板部２６の略中央（バネ受け筒部２７配設位置）から均等に離間した左右位置にそれぞれ一つずつ固定突起用穴部２６ｂを設け、その固定突起用穴部２６ｂは、前記固定突起２８の台座部２８ａが押し込んで緊密に嵌る程度の穴径で、かつ突起部２８ｂのみが壁面対向面２６ａから突出する穴深さを有している。従って、本実施例では、前記固定突起２８を固定突起用穴部２６ｂに着脱自在に嵌合配設することができるため、設置環境など必要に応じて固定突起２８を用いたり、あるいは固定突起２８を用いない形態が選択採用可能である。
【００４１】
また、本実施例の図面では図示省略しているが、前記壁面対向面２６ａ側には所定肉厚の弾性シートが配設されている。弾性シートは、特にその材質に限定解釈はされないが、壁面Ｗと接した際の密着性を高めることから摩擦抵抗の高い材質が好ましい。さらに、弾性シートは、壁面Ｗと接した際に壁面を傷つけないクッション効果をも有している。
なお、前記壁面対向面２６ａに粘着シートや接着シートなどを備えることは可能で本発明の範囲内である。
【００４２】
バネ受け筒部２７は、挿入口２７ａを移動作用部１５側に対向せしめ、押し付け板部２６の裏面側でその長さ方向略中央位置に一体に配設されており、前記棚板本体１の裏面に配設されているガイド筒部６の筒内面に遊びをもって移動可能な筒外形を有している。
【００４３】
本実施例の場合、図１および図２に示すように、押圧固定部２５の裏面側（壁面対向面２６ａと反対側の面部）と一体に形成されて、棚板本体１の裏面を摺接するように備えたガイド板部２９と、棚板本体１の裏面との間にわたって、壁面Ｗから離間する方向へと押圧固定部２５を引き寄せる引き寄せ部材３１を備えている。このガイド板部２９には、前記棚板本体１のガイド筒部６を避けて配設するため切り欠き領域Ｋ１が形成されている。なお、図３の概略斜視図では引き寄せ部材３１を図示省略している。
【００４４】
引き寄せ部材３１は、本実施例では、図１および図２に示すように、この引き寄せ部材３１の一例として引張りコイルバネを採用し、ガイド筒部６を挟んで左右に一つずつ配設している。図１では引き寄せ部材３１に引張り力が掛かっていない状態、図２は引き寄せ部材３１に引張り力（矢印Ｚ１で示す方向に伸長させる力）が掛かっており、引張り部材３１は戻ろうとする力（矢印Ｚ２で示す方向に押圧固定部２５を引き寄せようとかする力）が働いている状態を示す。
前記引張りコイルバネ（引き寄せ部材）３１による引き寄せ力は、押圧固定部２５を壁面Ｗ方向へと押圧する圧縮コイルバネ３０による押圧力よりも弱く設定されている。
すなわち、本実施例にてこの引張りコイルバネ３１を採用している理由は、次のとおりである。
本実施例の押圧固定部２５には、その壁面対向面２６ａに固定突起２８を備えているため、本実施例のコーナー棚をコーナー部位Ｃの壁面Ｗ，Ｗに取り付け保持している状態では、この固定突起２８が壁面Ｗに突き刺さっている状態である。この状態からコーナー棚を取り外す場合、回転作動部９を逆回転（Ｒ２方向）させて移動作用部１５に仮想角部４とは逆の方向へと移動（Ｘ２方向への後退）させ、押圧固定部２５を壁面Ｗ方向に押圧している圧縮コイルバネ３０の押圧力を弱める。
そして、圧縮コイルバネ３０に作用している圧縮力を完全に解除（圧縮コイルバネ３０を自由高さまで戻す）すれば、押圧固定部２５の壁面Ｗに対する押圧力は解除されるが、押圧固定部２５は、圧縮コイルバネ３０による直交する方向への強大な押圧力が重なって固定突起２８が強く壁面Ｗに突き刺さっているままである。したがって、このままでは何等押圧固定部２５を壁面Ｗから引き離す力が作用していないため、棚板を壁面Ｗから取り外すことは困難である。
そこで、本実施例のように引張りコイルバネ３１を備えれば、圧縮コイルバネ３０の押圧力が解除された段階で引張りコイルバネ３１が押圧固定部２５を壁面Ｗから引き離す方向へと引っ張る（引張りバネ３１が戻る）ため、その押圧固定部２５を引っ張る力によって壁面Ｗに突き刺さっている固定突起が２８抜け、棚板と壁面Ｗとが簡単かつ確実に分離できる状態となる。
【００４５】
また、前記固定突起２８は、本実施例では間隔をあけて着脱可能に２個備えられているが、このような固定突起を２８一個あるいは３個以上設けるものとしてもよく、また固着して着脱し得ない構成とすることも可能で、何等限定はされず本発明の範囲内において任意に設計変更可能である。
【００４６】
ここで、本実施例におけるコーナー棚の取付け方法および取り外し方法について簡単に説明する。
【００４７】
まず、室内等のコーナー部位Ｃの高さ方向任意位置から棚配設位置を選択し、そしてそのコーナー部位Ｃ位置に本実施例のコーナー棚を当て込むと共に、左右壁面Ｗ，Ｗに棚板１の左右当接辺２，２を夫々当接せしめる（図１参照。）。
【００４８】
そして、次に回動操作部材ＫＧを回転作動部９の被結合部１２に結合させ、回転作動部９を正方向Ｒ１に回転せしめると、その回転作動部９の正方向Ｒ１の回転作動（回転運動）が回転作動部９の雄ねじ部１０を介して移動作用部１５の雌ねじ部１８ａに伝達され、その雌ねじ部１８ａによって第一仮想線ＫＬ１に沿って仮想角部４の方向（室内等のコーナー部位Ｃの方向）に向う移動作用部１５の前進作動（Ｘ１方向の前進運動）に変換され、移動作用部１５は所定の位置まで前進作動をする。
【００４９】
この移動作用部１５の第一仮想線ＫＬ１に沿った前進作動（Ｘ１方向の前進運動）が開始されると、移動作用部１５が左右の当接辺２，２および左右の壁面（躯体壁面）Ｗ，Ｗとそれぞれ平行な左右の摺接辺１６，１６を有している構成であるため、移動作用部１５の第一仮想線ＫＬ１に沿った前進作動（Ｘ１方向の前進運動）が進むにつれて、前記左右の摺接辺１６，１６と左右の当接辺２，２および左右の壁面（躯体壁面）Ｗ，Ｗとの距離がゆっくりと縮まってくる。
この移動作用部１５の第一仮想線ＫＬ１に沿った前進作動（Ｘ１方向の前進運動）によって、左右の摺接辺１６，１６に接している各取り付け部材２０，２０のそれぞれの作用受け部２１，２１がゆっくりと各第二仮想線ＫＬ２に沿って前進移動（Ｙ１方向の前進運動）し、左右の壁面Ｗ，Ｗ方向へと押圧される。
【００５０】
このようにそれぞれの作用受け部２１，２１が押圧されると、それぞれの作用受け部２１，２１のバネ受け部２４，２４とそれぞれの押し付け板部２６，２６の裏面との間に配設されているそれぞれの圧縮コイルバネ３０，３０は、それぞれの押し付け板部２６，２６が壁面Ｗ，Ｗに当接しているため、各第二仮想線ＫＬ２に沿ってゆっくりと圧縮されていく。
移動作用部１５の第一仮想線ＫＬ１に沿う前進作動（Ｘ１方向の前進運動）が所定位置まで進むと、摺接辺１６によって摺接しながら押圧される作用受け部２１によって圧縮コイルバネ３０が所定の圧縮状態（密着高さとなる状態）まで圧縮され、その圧縮した圧縮コイルバネ３０による押圧力が各第二仮想線ＫＬ２に沿って壁面Ｗに対して直角に掛かる。
したがって、押圧固定部２５の押し付け板部２６は、壁面Ｗに対して直角に掛かる圧縮コイルバネ３０による強大な押圧力によって壁面Ｗに強固かつ確実に押し付けられる（壁面対向面（面部）２６ａが押し付け密着される。）。よって、このような強大な押圧力により棚板本体１は強固かつ確実にコーナー部位Ｃに取り付け保持せしめることができる（図２）。
【００５１】
さらに、本実施例では、押し付け板部２６の壁面対向面２６ａに固定突起２８を突出して備えているものであるため、上述した強大な押圧力によって固定突起２８が壁面Ｗに突き刺さり、さらなる強固かつ確実な取り付け保持力が得られる。
なお、本実施例では、圧縮コイルバネ３０が密着状態となるまで押圧したが、本実施例によれば、設置壁面Ｗに対して直角の方向の押圧力を付与することができるため、従来のコーナー棚の取り付け保持構造と比してもその押圧保持力は高いため、本実施例のように圧縮コイルバネ３０が密着状態となるまで押圧しなくてもよく、コーナー棚の設置壁面状況などを考慮して押圧力を調整することが好ましいことは言うまでもない。
【００５２】
このように本実施例によれば、回転作動部９を単一の操作で回転作動せしめれば、単一の移動作動部１５の左右の摺接辺１６，１６が、それぞれの取り付け部材２０，２０に対して、同時に第二仮想線ＫＬ２に沿った壁面Ｗ，Ｗへの直角方向の強大な押圧力を付与することができる。
また、上述した構造も極めて簡易な構造であるため、コーナー棚全体のコストを安価とすることもできる。
【００５３】
また、本実施例によれば、前記棚板本体１の裏面に配設されているガイド筒部６の筒内に、バネ受け筒部２７が遊びをもって移動可能に収容されているため、例えば、棚板本体１の当接辺２と取り付け対象となる壁面Ｗとの間が密着せず、隙間があいてしまったような場合であっても、ガイド筒部６内でバネ受け筒部２７が多少左右にずれるため、押圧固定部２５を壁面Ｗに押し付けることができる。
【００５４】
なお、取り付け開始後、圧縮コイルバネ３０の押圧力によって左右の固定突起２８，２８を少しだけ壁面Ｗ，Ｗに刺着させた状態で、回転作動部９の回転作動を中止すれば、固定突起２８，２８が壁面に浅く突き刺さった状態でコーナー棚が保持されるため、取付け位置の確認がこの時行える。そして、位置変更を望む場合には、回転作動部９を逆回転（Ｒ２方向）せしめて圧縮コイルバネ３０の押圧力を解除し、一端その固定突起２８を壁面Ｗから外せば再度位置決めが行える。固定突起２８，２８の突き刺さり状態が僅かである（浅い）ため、壁面Ｗへの傷も微小で極めて目立たない程度である。
【００５５】
また、上記棚取付け作業時の回転方向（正方向Ｒ１）と逆方向（Ｒ２）に回転作動部９を回転せしめれば、回転作動部９の逆回転（Ｒ２）運動が移動作用部１５へと伝達され、移動作用部１５は第一仮想線ＫＬ１に沿って後退作動（Ｘ２方向への後退運動）を開始する。この移動作用部１５の第一仮想線ＫＬ１に沿った後退作動（Ｘ２方向への後退運動）により、左右の摺接辺１６，１６と左右の壁面Ｗ，Ｗとの間が次第に離れていくため、押圧固定部２５，２５に掛かっていた圧縮コイルバネ３０，３０の壁面Ｗ，Ｗへの直角方向の押圧力がゆっくりと弱まっていく。そして、回転作動部９を続けて回転させて、所定位置まで移動作用部１５の後退作動（Ｘ２方向への後退運動）を行えば、圧縮コイルバネ３０，３０に掛かっていた押圧力が解除され、左右の押圧固定部２５，２５が室内のコーナー部位Ｃの左右壁面Ｗ，Ｗから同時に外れて取り付け保持状態が解除される。
なお、固定突起２８を備えている本実施例の場合には、このとき、引張りコイルバネ３１によって押し付け板部２６を強制的に壁面Ｗから離す方向に引き寄せるため、壁面Ｗに突き刺さっていた固定突起２８も外れる。
【００５６】
さらに本実施例によれば次のような作用効果も得られることが確認できた。
コーナー棚の取り付け状態において、壁面Ｗ，Ｗに対して突き刺さっている固定突起２８，２８が、圧縮コイルバネ３０，３０によって常に壁面Ｗ，Ｗ方向へと押圧されている状態であるため、壁面Ｗ，Ｗ間に固定されて取付けられている状態で、万が一、地震などが発生して壁面Ｗ，Ｗ間隔が多少広がったとしても、その圧縮コイルバネ３０，３０の許容範囲内において圧縮コイルバネ３０，３０が戻り、壁面Ｗ，Ｗ間隔の広がりに応じて押圧固定部２５，２５を前方（壁面Ｗ，Ｗ方向）へと押し出す作用がある。従って、その広がった分だけ押圧固定部２５全体が当接辺２より突出し、押圧固定部２５，２５による壁面Ｗ，Ｗへの固定保持状態は確保されコーナー棚の落下が防止される。
【００５７】
なお、本発明のコーナー棚は、コーナー部位Ｃの高さ方向に複数個並設せしめるのもよく、また異形状の棚板あるいは大きさの異なった棚板のものを並設せしめるのもよくその配設組み合わせは任意である。
【００５８】
また、図示例では、構成の説明上、棚板本体１の裏面側に配設されている固定機構７が露出している状態であるが、棚板本体１の裏面側には、この固定機構７を覆い隠す裏面部材を備えている。このとき、裏面部材（図示省略）には、押圧固定部２５が出没可能な程度の開口部（図示省略）と、回転作動部９の被結合部１２に回動操作部材ＫＧを差込み連結して回転操作し得る程度の開口（図示省略）は少なくとも備えている構造とする。
なお、裏面部材を備えずに、あえて固定機構７を露出させる形態としてもよい。例えば、棚板全体を透明部材で構成し、全体をスケルトンタイプとすることでその固定機構７を棚板のデザインの一つとして表現することも需要者の興趣をそそるものである。
【００５９】
「変形例１」
上述した本実施例では、取り付け部材２０の押圧固定部２５の壁面対向面２６ａに固定突起２８を備えた実施の一形態をもって説明したが、この固定突起２８を備えない形態であっても本発明の範囲内である。すなわち、本発明は、押圧固定部２５を壁面Ｗに対して直交する方向（直角の方向）に押し付ける押圧力を付与する構造であるため、その押し付け力は強大である。したがって、本発明によれば従来技術では達成し得ない程の取り付け保持力が得られているため固定突起２８を備えなくても強い取り付け保持力で棚板を取り付け保持することができる。
従って、例えば設置壁面Ｗがタイルなどの固定突起２８を突き刺すことのできない壁面である場合には固定突起２８を外した状態でコーナー棚を取り付けても、その取り付け保持状態は極めて強固かつ確実である。
【００６０】
「変形例２」
本実施例では、押圧固定部２５に押圧力を付与する弾性部材の一例として圧縮コイルバネ３０を採用しているが、この弾性部材は圧縮コイルバネ３０に何等限定解釈されるものではなく、押圧固定部２５に押圧力を付与することの可能な弾性部材であれば、本発明の範囲内において適宜周知の弾性部材を採用することができる。例えば、同等の押圧力（反発力）を有するゴム材や板状のバネ部材なども本発明の範囲内である。
【００６１】
「変形例３」
例えば、上述した本実施例に示すような移動作用部１５を回転作動部９の雄ネジ部１０に沿って進退移動せしめる構造に代えて次のような構造を採用することも本発明の範囲内である。この変形例の構成を採用しても上述の実施例と同様の作用効果を奏することが可能である。
すなわち、移動作用部１５を仮想角部４の方向に進退移動可能で、かつ落下しないように保持可能なレール部（図示省略）を棚板本体１の裏面側に備え、移動作用部１５をそのレール部に沿って移動自在に配設する。
そして、その移動作用部１５の先端と反対側の後端（仮想角部４に対向する端部と反対側の端部）側に連結し、移動作用部１５を押圧および引き戻し可能な回転作動部（図示省略）を進退自在に棚板本体１の裏面に配設する。
【００６２】
「変形例４」
上述した本実施例では、引き寄せ部材３１の一例として引張りコイルバネを採用しているが、押圧固定部２５を壁面Ｗ方向に押圧している弾性部材（例えば本実施例の圧縮コイルバネ３０）の押圧力よりも弱い引張り力を有するものであれば、何等これに限定解釈されるものではなく他の構造を任意に採用することができる。弾性部材が好ましく、例えば、板バネやゴム紐などの周知の弾性部材が本発明の範囲内で適宜設計変更可能である。
【図１】
2011147635.tif 000003
【図２】
2011147635.tif 000004
【図３】
2011147635.tif 000005
【図４】
2011147635.tif 000006
【図５】
2011147635.tif 000007